(57)【要約】【課題】  ディスクカートリッジにおいて、製造コストを抑えるとともにレーザー溶接により抜け止めピンから発生する塵埃による不具合を防止する。製造コストを抑えるとともに、ディスクカートリッジの製造工程において塵埃の発生を防止することができるディスクカートリッジを提供する。  【解決手段】  上シャッタ部材７Ｕが、開口部６を開閉するときの回転中心になる位置に貫通孔７Ｕａを備え、上シェル３が、ハウジング内に向かって突出した、貫通孔７Ｕａに挿入される円筒状の軸筒部３ａと、軸筒部３ａが貫通孔７Ｕａから抜けるのを防止するための抜け止めピン９とを有し、抜け止めピン９が、軸筒部３ａに下シェル４側から挿入された状態において、上シェル３側の端部がカシメられることにより、上シェル３に固定される。【選択図】  図４
2005276399.tif 000002
【特許請求の範囲】
【請求項１】
上シェルと下シェルとを備えた扁平なハウジング内に、ディスク状の情報記録媒体を回転自在に収容してなるディスクカートリッジであって、前記ハウジングが、ディスクドライブの記録再生ヘッドを前記情報記録媒体の表面にアクセスさせるための開口部と、該開口部を開閉するロータリシャッターとを備えたディスクカートリッジにおいて、
該ロータリシャッターが、前記上シェルに軸支された上シャッタ部材と、前記下シェルに軸支された下シャッタ部材とからなり、
前記上シャッタ部材が、前記開口部を開閉するときの回転中心になる位置に貫通孔を備え、
前記上シェルが、前記ハウジング内に向かって突出した、前記貫通孔に挿入される円筒状の軸筒部と、該軸筒部が前記貫通孔から抜けるのを防止するための抜け止めピンとを有し、
該抜け止めピンが、前記軸筒部に前記下シェル側から挿入された状態において、前記上シェル側の端部がカシメられることにより、前記上シェルに固定されているものであることを特徴とするディスクカートリッジ。
【請求項２】
前記上シェルが、前記抜け止めピンのカシメ部分に対向する前記軸筒部の上端部周縁にくさび穴を有するものであることを特徴とする請求項１に記載のディスクカートリッジ。
【請求項３】
前記上シェルが、前記軸筒部の上端部に前記抜け止めピンのカシメ部分を収容するための段部を有するものであることを特徴とする請求項１に記載のディスクカートリッジ。
【請求項４】
前記上シェルが、前記段部の一部に前記抜け止めピンのカシメ部分と部分的に係合する凹部を有するものであることを特徴とする請求項３に記載のディスクカートリッジ。
【請求項５】
前記抜け止めピンが、中央に凹部が形成されている前記上シェル側の端部をカシメることにより前記上シェルに固定されているものであることを特徴とするディスクカートリッジ。
【発明の詳細な説明】
【技術分野】
【０００１】
本発明は、ディスク状の情報記録媒体を回転可能に収容するディスクカートリッジに関し、特に、ハウジングに形成された記録再生ヘッドアクセス用の開口部を開閉するためのロータリシャッターに取り付けられたシャッターノブの取付構造に関するものである。
【背景技術】
【０００２】
従来、デジタルカメラ等のモバイル機器においては、記録媒体としてたとえば「ｃｌｉｋ！（登録商標）」や「Ｐｏｃｋｅｔ  Ｚｉｐ（登録商標）」と呼ばれる超小型の磁気ディスクカートリッジが使用されている（たとえば特許文献１参照。）。このディスクカートリッジは、たとえば幅５０ｍｍ、奥行き５５ｍｍ、厚さ１．９５ｍｍの扁平な金属薄板からなる上下シェルを備えたハウジング内に、４０ＭＢの記憶容量を有する直径約４６．５ｍｍの磁気ディスクからなる情報記録媒体を回転自在に収容したものである。
【０００３】
ハウジングにはディスクドライブの記録再生ヘッドが情報記録媒体にアクセスするための開口部が設けられており、開口部には開閉可能なロータリシャッターが設けられている。このロータリシャッターは、上シャッタ部材と下シャッタ部材とからなり、上シャッタ部材は上シェルに回転可能に軸支され、下シャッタ部材は下シェルに軸支されている。さらに、上シャッタ部材と下シャッタ部材とは側面側において係合しており、上シャッタ部材と下シャッタ部材とは一体的に開口部を開閉するようになっている。
【０００４】
ここで、上シェルと上シャッタ部材との軸支構造はたとえば特許文献１の図８のようになっている。上シャッタ部材は開口部を開閉するときの回転中心になる位置に貫通孔を有し、上シェルはハウジング内に向かって突出した、貫通孔に挿入される円筒状の軸筒部と、軸筒部が貫通孔から抜けるのを防止するための抜け止めピン（抜け止めピン）とを有している。そして、抜け止めピンが軸筒部の下シェル側にレーザー溶接等により固定されることにより、上シャッタ部材が上シェルに軸支された状態になっている。
【特許文献１】米国特許第６２５６１６８号明細書
【発明の開示】
【発明が解決しようとする課題】
【０００５】
しかし、上述したように抜け止めピンをレーザー溶接する際には特殊な溶接装置が必要となり、製造コストがかかってしまうという問題がある。さらに、溶接の際に抜け止めピンから塵埃が発生してしまうという問題がある。すなわち、この塵埃は情報記録媒体に悪影響を与えるとともに、上シェルと上シャッタ部材との間に入り込むことにより開閉動作に不具合が生じてしまう。
【０００６】
そこで、本発明は、製造コストを抑えるとともに、レーザー溶接により抜け止めピンから発生する塵埃による不具合を防止することができるディスクカートリッジを提供することを目的とするものである。
【課題を解決するための手段】
【０００７】
本発明のディスクカートリッジは、上シェルと下シェルとを備えた扁平なハウジング内に、ディスク状の情報記録媒体を回転自在に収容してなるディスクカートリッジであって、ハウジングが、ディスクドライブの記録再生ヘッドを情報記録媒体の表面にアクセスさせるための開口部と、開口部を開閉するロータリシャッターとを備えたディスクカートリッジにおいて、ロータリシャッターが、上シェルに軸支された上シャッタ部材と、下シェルに軸支された下シャッタ部材とからなり、上シャッタ部材が、開口部を開閉するときの回転中心になる位置に貫通孔を備え、上シェルが、ハウジング内に向かって突出した、貫通孔に挿入される円筒状の軸筒部と、軸筒部に貫通孔から抜けるのを防止するための抜け止めピンとを有し、抜け止めピンが、軸筒部に下シェル側から挿入された状態において、上シェル側の端部がカシメられることにより、上シェルに固定されているものであることを特徴とするものである。
【０００８】
ここで、抜け止めピンは、軸筒部が貫通孔から抜けるのを防止するものであれば、その形状は問わないが、抜け止めピンの下シェル側の形状が楕円形に形成されているのが好ましい。
【０００９】
また、上シェルの抜け止めピンのカシメ部分に対向する軸筒部の上端部周縁の形状は問わず、抜け止めピンのカシメ部分に対向する軸筒部の上端部周縁にくさび穴を有するものであってもよいし、軸筒部の上端部に抜け止めピンのカシメ部分を収容するための段部を有するものであってもよい。このとき、上シェルが、段部の一部に抜け止めピンのカシメ部分と部分的に係合する凹部を有するものであってもよい。
【００１０】
さらに、抜け止めピンは、上シェル側の端部をカシメることにより上シェルに固定されているものであれば端部の形状は問わず、中央に凹部が形成された上シェル側の端部をカシメることにより上シェルに固定されているものであってもよい。
【発明の効果】
【００１１】
本発明のディスクカートリッジによれば、ロータリシャッターが回転中心に貫通穴を有し、上シェルが、ハウジング内に向かって突出した円筒状の軸筒部と、軸筒部に挿入される抜け止めピンとを備え、軸筒部を貫通穴に挿入した状態において、抜け止めピンの上シェル側の端部をカシメることにより、上シェルに上シャッタ部材を回転可能に取り付ける際に従来のようなレーザー溶接等の特殊な装置が不要であるため、レーザー溶接等により抜け止めピンから塵埃が発生するのを防止するとともに、製造コストの削減を図ることができる。
【００１２】
なお、上シェルが、抜け止めピンのカシメ部分に対向する軸筒部の上端部周縁にくさび穴を有する構成にすれば、くさび穴にカシメ部分が入り込こむようになるため、抜け止めピンの下シェル側がたとえば楕円形状に形成されその向きが決まっているとき、抜け止めピンが回転してその向きが変わるのを防止することができる。
【００１３】
さらに、上シェルが、軸筒部の上端部に抜け止めピンのカシメ部分を収容するための段部を有するようにすれば、カシメ部分が上シェルの外面から突出するのを低減することができる。
【００１４】
また、上シェルが、段部の一部に前記抜け止めピンのカシメ部分と部分的に係合する凹部を有する構成にすれば、凹部にカシメ部分が入り込こむようになるため、抜け止めピンの下シェル側がたとえば楕円形状に形成されその向きが決まっているとき、抜け止めピンが回転してその向きが変わるのを防止することができる。
【００１５】
さらに、抜け止めピンが、中央に凹部が形成されている前記上シェル側の端部をカシメることにより上シェルに固定されているものであれば、容易にカシメ加工を行うことができる。
【発明を実施するための最良の形態】
【００１６】
以下、本発明のディスクカートリッジの実施の形態について、図面を参照して詳細に説明する。図１は本発明の情報記録媒体が用いられるディスクカートリッジの一例を示す図である。なお、図１（ａ）、（ｂ）にそのロータリシャッター７が閉状態にある平面図および底面図をそれぞれ示している。
【００１７】
図１のディスクカートリッジ１は、押込み部２ａを含む樹脂製の通常スタビライザと呼ばれるフレーム２と、金属薄板からなる上下シェル３、４とによって構成された、幅５０ｍｍ、奥行き５５ｍｍ、厚さ１．９５ｍｍの扁平なハウジング内に、４０ＭＢの記憶容量を有する直径約４６．５ｍｍのディスク状の情報記録媒体５を回転自在に収容したものである。
【００１８】
また、ハウジングは、ディスクドライブの磁気ヘッドを情報記録媒体５の表面にアクセスさせるためのＶ字状の開口部６と、この開口部６を開閉するためのロータリシャッター７とを備えている。そして、ディスクドライブが情報記録媒体５に対して情報の記録再生を行うときには、ロータリシャッター７が開き、開口部６から磁気ヘッドが挿入されるようになっている。一方、ディスクドライブから取り出されたときに開口部６から埃等が入り込まないようにするため、ロータリシャッター７が閉じて開口部６を塞ぐようになっている。
【００１９】
図２はディスクカートリッジ１における抜け止め部材（センターピン）９の周辺部位を示す断面図である。図２は本発明のディスクカートリッジにおけるセンターコア１０の周辺部位を示す模式図である。図２のロータリシャッター７は互いに係合された上シャッタ部材７Ｕと下シャッタ部材７Ｄとからなっている。上シャッタ部材７Ｕは、上シェル３に回転可能に軸支され、下シャッタ部材７Ｄは、下シェル４の中心孔４ａの外縁にカシメ加工を施すことにより回転可能に軸支されている。
【００２０】
情報記録媒体５は、たとえばプラスチックフィルムに磁性材を塗布した可撓性を有する磁気ディスクであって、ハウジング内に回転自在に収容されている。情報記録媒体５は、中心部に中心孔１０ａが形成されたセンターコア１０を有しており、情報記録媒体５の中心部の下面とセンターコア１０の上面が接着部材を用いて固定されている。この接着部材は、たとえばアクリル系等の接着剤をポリエチレンテレフタレート（ＰＥＴ）や不織布等からなる基材の両面に塗布したものである。情報記録媒体５と上下シャッタ部材７Ｕ、７Ｄとの間にはそれぞれライナ１３、１３が介挿されている。
【００２１】
ここで、上シャッタ部材７Ｕは、開口部６を開閉するときの回転中心になる位置に貫通孔７Ｕａを備えている。一方、上シェル３は、ハウジング内に向かって突出した、貫通孔７Ｕａに挿入される円筒状の軸筒部３ａと、軸筒部３ａが貫通孔７Ｕａから抜けるのを防止するための抜け止めピン９とを有している。なお、この軸筒部３ａは、たとえばバーリング加工等により形成される。この抜け止めピン９は、軸筒部３ａに下シェル４側から挿入された状態において、上シェル３側の端部がカシメられることにより、上シェル３に固定されている。
【００２２】
図３は抜け止めピン９の形状を示す模式図を示している。なお、図３（ａ）は抜け止めピン９の断面図を示し、図３（ｂ）は抜け止めピン９の上面図を示している。図３において、抜け止めピン９は、軸筒部３ａの下シェル４側に突出した突出部９ｆを形成している。この突出部９ｆは断面が楕円形状になるように形成されており、突出部９ｆの縦長方向とディスクカートリッジのディスクドライブへの挿入方向とが一致するように、抜け止めピン９が上シェル３に取り付けられる（図１（ｂ）参照）。
【００２３】
つまり、図２のように、抜け止めピン９の突出部９ｆはセンターコア１０の中心孔１０ａ内に進入しているものであって、センターコア１０の突出部９ｆは抜け止めピン９により径方向の移動が規制されるようになっている。このとき、突出部９ｆの縦長方向がディスクカートリッジのディスクドライブへの挿入方向となるように抜け止めピン９を上シェル３に取り付けることにより、センターコア１０がディスクドライブへの挿入方向に移動できる量を小さくすることができ、センターコア１０がディスクドライブのスピンドルに対して位置決めしやすくすることができる。
【００２４】
抜け止めピン９の上シェル３側の端部９ｈは、軸筒部３ａに挿入するために突出部９ｆによりも細い円柱に形成されており、その端面の中央には略円錐状の凹部９ｃが形成されている。たとえば、凹部９ｃは、好ましくは角度θは１２０°以下、口径Ｗ＝０．８ｍｍ以下であって、深さＤｐが軸筒部３ａの長さを考慮したものになっている。
【００２５】
そして、図２に示すように、抜け止めピン９の端部９ｈを上シェル３の軸筒部３ａの中心孔に通した後、抜け止めピン９の端部９ｈの端面をカシメることにより、抜け止めピン９が上シェル３に取り付けられる。このように、抜け止めピン９をレーザー溶接を用いずに取り付けることにより、特殊な溶接装置が不要となるため製造コストの削減を図ることができる。さらに、レーザー溶接を行ったときには発生していた塵埃がカシメ加工においては発生しないため、塵埃によるロータリシャッター７の開閉の不具合や情報記録媒体５への付着等の悪影響の発生を防止することができる。
【００２６】
さらに、凹部９ｃの形状を略円錐状にすることにより、カシメ加工された際、凹部９ｃの縁部が抜け止めピン９の中央から外方に向かって広がりやすく、カシメ加工後のカシメ部が略円形状に形成されるため、効率的に抜け止めピン９の取付を行うことができる。
【００２７】
本発明の実施の形態は、上記実施の形態に限定されない。たとえば、図２から図４の軸筒部３ａは円筒状に設けられている場合について例示しているが、図５に示すように    上シェル３は、抜け止めピン９のカシメ部分に対向する軸筒部３ａの上端部周縁にくさび穴３ｘを有するものであってもよい。これにより、この上シェル３に抜け止めピン９をカシメ加工により取り付けたとき、くさび穴３ｘにより抜け止めピン９が回転するのを防止することができる。したがって、突出部９ｆの縦長方向とディスクカートリッジのディスクドライブへの挿入方向とが常に一致するように、抜け止めピン９を固定することができる。（図１参照）。
【００２８】
また、図４（ｂ）の上シェル３の上面は平坦である場合について例示しているが、図６（ａ）に示すように、軸筒部３ａの上端部に抜け止めピン９のカシメ部分を収容するための段部１９を有するものであってもよい。この段部１９は、たとえば上シェル３が０．２ｍｍのものに対し、０．０５ｍｍ〜０．１ｍｍの円形の凹部を設けることにより形成されている。この段部１９を設けることにより、抜け止めピン９の上端部をカシメたときに、図６（ｂ）に示すように、抜け止めピン９のカシメ部分が上シェル３の外面から突出するのを防止することができる。
【００２９】
さらに、図７（ａ）に示すように、段部１９の一部に抜け止めピン９のカシメ部分と部分的に係合する凹部１９ｘを設けるようにしてもよい。この凹部１９ｘは、図７（ｂ）に示すように、段部１９内に複数設けられており、この上シェル３に抜け止めピン９をカシメ加工により取り付けたとき、凹部１９ｘにより抜け止めピン９が回転するのを防止するようになっている。このように、抜け止めピン９の下シェル４側がたとえば楕円形状に形成されその向きが決まっているとき、抜け止めピン９が回転してその向きが変わるのを防止することができる（図１参照）。
【００３０】
また、図３において凹部９ｃが略円錐状の場合について例示しているが、略Ｖ字状溝に形成されたものであってもよい。この場合であっても、カシメ加工が施される際に、抜け止めピン９に加える圧力を低減することができるため、取付強度を維持しつつ容易に抜け止めピン９を上シェル３に取り付けることができるようになる。
【図面の簡単な説明】
【００３１】
【図１】本発明のディスクカートリッジの好ましい実施の形態におけるロータリシャッターが閉状態にある状態を示す平面図および底面図
【図２】本発明のディスクカートリッジにおける抜け止めピンの周辺部位を示す断面図
【図３】本発明のディスクカートリッジにおける抜け止めピンの一例を示す模式図
【図４】上シェルに抜け止めピンを取り付ける様子を示す模式図
【図５】本発明のディスクカートリッジにおいて、抜け止めピンのカシメ部分に対向する軸筒部の上端部周縁にくさび穴を有する上シェルの一例を示す平面図
【図６】本発明のディスクカートリッジにおいて、軸筒部の上端部に抜け止めピンのカシメ部分を収容するための段部を有する上シェルの一例を示す断面図
【図７】図６の段部に凹部を設けた上シェルの一例を示す断面図
【符号の説明】
【００３２】
１     ディスクカートリッジ
３     上シェル
３ａ   軸筒部
３ｘ   くさび穴
４     下シェル
５     情報記録媒体
６     開口部
７ｂ   シャッターノブ
７     ロータリシャッター
７Ｄ   下シャッタ部材
７Ｕ   上シャッタ部材
７Ｕａ 貫通孔
９     抜け止めピン
９ｈ   端部
９ｆ   突出部
１９ｘ 凹部
１９   段部
【図１】
2005276399.tif 000003
【図２】
2005276399.tif 000004
【図３】
2005276399.tif 000005
【図４】
2005276399.tif 000006
【図５】
2005276399.tif 000007
【図６】
2005276399.tif 000008
【図７】
2005276399.tif 000009